(57)【要約】【課題】  子機及び親機間のＩＤコードの登録を正確に且つ早く行う。【解決手段】  ユーザーは親機の接続端子にパソコンを接続し（Ｓ１１）、操作入力部から登録モードを設定する（Ｓ１２）。子機１０は登録ボタンで登録処理を開始し（Ｓ１３）、自身のＭＡＣアドレスを読出し（Ｓ１４）、登録要求と共に親機２０に送信する（Ｓ１５）。親機２０は、そのＭＡＣアドレスをアドレス記憶部に書きこむ（Ｓ１６）。この後、親機２０は、登録要求受信の返信を自身のＭＡＣアドレスを付して子機１０に送信する（Ｓ１７）。子機１０は、ＭＡＣアドレスを登録する（Ｓ１８）。その後、子機１０は親機のＭＡＣアドレス登録終了を親機２０に送信する（Ｓ１９）。親機２０は、接続済みのパソコンから所定の情報を入力し（Ｓ２０）、子機１０に登録作業終了を通知し、この作業を終了する（Ｓ２１，２２）。子機１０も自らの登録作業を終了する（Ｓ２３）。【選択図】  図２
2005223654.tif 000002
【特許請求の範囲】
【請求項１】
検針端末システムで使用される子機を親機に登録する方法であって、子機及び親機にそれぞれ予め付与された当該子機又は当該親機を同定可能な識別情報に基いて検針端末システムで使用される子機を親機に登録する方法において、
親機に対する登録開始の操作を行う工程と、
該登録開始操作に伴い自身の識別情報を読み出す工程と、
読み出した識別情報を該識別情報の登録要求情報と共に親機に送信する工程と、
親機から親機の識別情報を受信する工程と、受信した親機の識別情報を登録する工程と、
を有することを特徴とする検針端末システムで使用される子機を親機に登録する方法。
【請求項２】
請求項1記載の検針端末システムで使用される子機を親機に登録する方法において、親機から登録要求コマンドを送信されたとき、親機の識別情報が既に登録されているか否かを検知する工程と、この検知により登録処理の実行又は中止を判断する工程と、を有することを特徴とする検針端末システムで使用される子機を親機に登録する方法。
【請求項３】
検針端末システムで使用される子機を親機に登録する方法であって、子機及び親機にそれぞれ予め付与された当該子機又は当該親機を同定可能な識別情報に基いて検針端末システムで使用される子機を親機に登録する方法において、
登録待機モードに移行する工程と、
子機からの登録要求コマンドを受信する工程と、受信した登録要求コマンドに基き当該子機から送信された子機の識別情報を登録する工程と、
親機自身の識別情報を読み出す工程と、読み出した識別情報を子機に送信する工程と、
を有することを特徴とする検針端末システムで使用される子機を親機に登録する方法。
【請求項４】
検針端末システムで使用される子機を親機に登録する方法であって、子機及び親機にそれぞれ予め付与された当該子機又は当該親機を同定可能な識別情報に基いて検針端末システムで使用される子機を親機に登録する方法において、
登録待機モードに移行する工程と、
子機に対して登録要求コマンドを送信する工程と、
子機に対する登録要求コマンドに呼応して子機からの登録要求コマンドを受信する工程と、受信した登録要求コマンドに基き当該子機から送信された子機の識別情報を登録する工程と、親機自身の識別情報を読み出す工程と、
読み出した識別情報を子機に送信する工程と、
を有することを特徴とする検針端末システムで使用される子機を親機に登録する方法。
【請求項５】
検針端末システムで使用される子機を親機に登録する方法であって、子機及び親機にそれぞれ予め付与された当該子機又は当該親機を同定可能な識別情報に基いて検針端末システムで使用される子機を親機に登録する方法において、
登録待機モードに移行する工程と、
子機に対して登録要求コマンドを送信する工程と、
子機に対する登録要求コマンドに呼応して又は子機自らからの要求による登録要求コマンドを受信する工程と、受信した登録要求コマンドに基き当該子機から送信された子機の識別情報を登録する工程と、親機自身の識別情報を読み出す工程と、
読み出した識別情報を子機に送信する工程と、
を有することを特徴とする検針端末システムで使用される子機を親機に登録する方法。
【請求項６】
請求項１乃至５のいずれかに記載の検針端末システムで使用される子機を親機に登録する方法において、識別情報登録済みの確認情報を送信する工程を有することを特徴とする検針端末システムで使用される子機を親機に登録する方法。
【請求項７】
検針端末システムで使用される子機を親機に登録する方法であって、子機及び親機にそれぞれ予め付与された当該子機又は当該親機を同定可能な識別情報に基いて検針端末システムで使用される子機を親機に登録する方法において、
子機において、親機に対する登録開始の操作を行う工程と、
該登録開始操作に伴い自身の識別情報を読み出す工程と、
読み出した識別情報を該識別情報の登録要求情報と共に親機に送信する工程と、
親機から親機の識別情報を受信する工程と、受信した親機の識別情報を登録する工程と、
親機から登録要求コマンドを送信されたとき、親機の識別情報が既に登録されているか否かを検知する工程と、この検知により登録処理の実行又は中止を判断する工程と、
識別情報登録済みの確認情報を送信する工程と、
親機において、登録待機モードに移行する工程と、
子機に対して登録要求コマンドを送信する工程と、
子機に対する登録要求コマンドに呼応して又は子機自らからの要求により登録要求コマンドを受信する工程子機からの登録要求コマンドを受信する工程と、受信した登録要求コマンドに基き当該子機から送信された子機の識別情報を登録する工程と、親機自身の識別情報を読み出す工程と、
読み出した識別情報を子機に送信する工程と、
識別情報登録済みの確認情報を送信する工程と、
を有することを特徴とする検針端末システムで使用される子機を親機に登録する方法。
【発明の詳細な説明】
【技術分野】
【０００１】
本発明は、センサに接続される通信端末装置（子機）と該通信端末装置（子機）の検針データを収集する通信端末装置（親機）からなる検針端末システムにおける子機の識別情報を親機に登録する方法に関する。
【背景技術】
【０００２】
従来から、例えば家庭のガス使用量、水道使用量等の管理に遠隔監視システムが用いられている。これは各家庭に設置されたガスメータや水道メータと送受信装置とを接続し、この送受信装置が受信した前記メータの計測量を監視用の送受信装置に送信するシステムである。このような送受信装置は子機と親機とからなり、子機を前記メータに接続して家庭側に配置し、親機を家庭から離れた例えば管理センターのような場所に配置し、子機と親機を無線で接続可能にしている。このような遠隔監視システムとして、マンション各戸のガス等の検針メータをＩＤコードが割り振られた子機に接続し、検針時には検針要求とＩＤコードを入力し、該当するＩＤコードの子機の検針データを親機に送信するシステムが公知である（特許文献１参照）。
【０００３】
マンションにおける居住者戸数が増加すると自ずと検針メータつまり子機の数が増えることになるが、多数の子機に割り振られるＩＤコードと親機側が管理しているＩＤコードを合致させ、正確な通信チャンネルを確立するためのＩＤコードの登録作業は、極めて重要な作業になっている。文献に記載されたものではないが、図５乃至図７を参照して従来のＩＤコードの登録について説明する。
【０００４】
図５は、従来の子機と親機による検針端末システムの構成図であり、図中、子機100は、4ビットで表わされる所定のＩＤコードが割り振られており、そのＩＤコード及び親機のコードを入力するために5つのスイッチ素子を有するディップスイッチ101、入力された自身のＩＤコード及び親機のＩＤコードを親機に登録するための登録ボタン102を備えている。また親機200は、自身のＩＤコード及び子機のＩＤコードを入力するために８つのスイッチ素子を有するディップスイッチ201、入力された各ＩＤコードを子機に登録するための登録ボタン202を有している。
【０００５】
図６は、従来のディップスイッチの構成を示す図である。図６において、図６（Ａ）に示す子機ディップスイッチ101は、１つの親機登録用のスイッチ素子と４つのＩＤコードつまりチャンネル設定用のスイッチ素子からなる。４つのスイッチ素子の各オン、オフ設定により４ビット即ち１６種類のＩＤコードのうち、所定のＩＤコードの設定が可能である。
図６（Ｂ）に示す親機ディップスイッチ201は、４つの子機登録用等のスイッチ素子と４つのＩＤコードつまりチャンネル設定用のスイッチ素子からなる。４つのスイッチ素子のオン、オフ設定により４ビット即ち１６個の子機の設定が可能になる。
【０００６】
図７は、従来の子機チャンネルを親機に登録し親機チャンネルを子機に登録するシーケンスを示す図である。図７を参照して説明すると、子機100ではディップスイッチ101で親機チャンネルを入力、記憶させ(Ｓ111)、続いてディップスイッチ101で自身のＩＤコードを入力、記憶させ（Ｓ112）、そして登録スイッチをオンにする（S113）。一方、親機200ではディップスイッチ201で子機チャンネルを入力、記憶させ(Ｓ211)、登録スイッチをオンにする（S212）。次に、子機の登録ボタン102をオンにする（Ｓ114）。このオンにより、子機で入力された子機ＩＤコードは親機に渡され、親機は子機ＩＤコードの受領を子機に渡すので、子機と親機との通信チャンネルが設定されることになる。通信チャンネルの設定は親機の表示ランプの１回の点灯により確認できるので、表示ランプが消灯したとき、それぞれの登録スイッチをオフにする（Ｓ115,214）。表示ランプが所定時間経過後、３回点滅したときは、入力ミスがあるので、ディップスイッチによる入力をやり直すことになる。
【特許文献１】特開平8-249584号公報
【発明の開示】
【発明が解決しようとする課題】
【０００７】
上述のように、従来の検針端末システムにおけるＩＤコードの登録、つまりによる子機と親機の通信チャンネルの設定は、ディップスイッチを使用するため操作ミスが発生し易く、これを正確に行おうとすると登録に手間がかかり、またディップスイッチというハード部品を使用するためその分部品点数が増えてしまうということがある。
【０００８】
そこで本発明は、上述の実情に鑑みて親機に子機のＩＤコードを登録する際にそのための部品を減らし且つＩＤコードの登録が正確にかつ早くできるようにすることを発明の目的とする
【課題を解決するための手段】
【０００９】
請求項１の発明は、検針端末システムで使用される子機を親機に登録する方法であって、子機及び親機にそれぞれ予め付与された当該子機又は当該親機を同定可能な識別情報に基いて検針端末システムで使用される子機を親機に登録する方法において、親機に対する登録開始の操作を行う工程と、該登録開始操作に伴い自身の識別情報を読み出す工程と、読み出した識別情報を該識別情報の登録要求情報と共に親機に送信する工程と、親機から親機の識別情報を受信する工程と、受信した親機の識別情報を登録する工程と、を有することを特徴とする検針端末システムで使用される子機を親機に登録する方法である。
請求項２の発明は、請求項1記載の検針端末システムで使用される子機を親機に登録する方法において、親機から登録要求コマンドを送信されたとき、親機の識別情報が既に登録されているか否かを検知する工程と、この検知により登録処理の実行又は中止を判断する工程と、を有することを特徴とする検針端末システムで使用される子機を親機に登録する方法である。
請求項３の発明は、検針端末システムで使用される子機を親機に登録する方法であって、子機及び親機にそれぞれ予め付与された当該子機又は当該親機を同定可能な識別情報に基いて検針端末システムで使用される子機を親機に登録する方法において、登録待機モードに移行する工程と、子機からの登録要求コマンドを受信する工程と、受信した登録要求コマンドに基き当該子機から送信された子機の識別情報を登録する工程と、親機自身の識別情報を読み出す工程と、読み出した識別情報を子機に送信する工程と、を有することを特徴とする検針端末システムで使用される子機を親機に登録する方法である。
請求項４の発明は、検針端末システムで使用される子機を親機に登録する方法であって、子機及び親機にそれぞれ予め付与された当該子機又は当該親機を同定可能な識別情報に基いて検針端末システムで使用される子機を親機に登録する方法において、登録待機モードに移行する工程と、子機に対して登録要求コマンドを送信する工程と、子機に対する登録要求コマンドに呼応して子機からの登録要求コマンドを受信する工程と、受信した登録要求コマンドに基き当該子機から送信された子機の識別情報を登録する工程と、親機自身の識別情報を読み出す工程と、読み出した識別情報を子機に送信する工程と、を有することを特徴とする検針端末システムで使用される子機を親機に登録する方法である。
請求項５の発明は、検針端末システムで使用される子機を親機に登録する方法であって、子機及び親機にそれぞれ予め付与された当該子機又は当該親機を同定可能な識別情報に基いて検針端末システムで使用される子機を親機に登録する方法において、登録待機モードに移行する工程と、子機に対して登録要求コマンドを送信する工程と、子機に対する登録要求コマンドに呼応して又は子機自らからの要求による登録要求コマンドを受信する工程と、受信した登録要求コマンドに基き当該子機から送信された子機の識別情報を登録する工程と、親機自身の識別情報を読み出す工程と、読み出した識別情報を子機に送信する工程と、を有することを特徴とする検針端末システムで使用される子機を親機に登録する方法である。
請求項６の発明は、請求項１乃至５のいずれかに記載の検針端末システムで使用される子機を親機に登録する方法において、識別情報登録済みの確認情報を送信する工程を有することを特徴とする検針端末システムで使用される子機を親機に登録する方法である。
請求項７の発明は、検針端末システムで使用される子機を親機に登録する方法であって、子機及び親機にそれぞれ予め付与された当該子機又は当該親機を同定可能な識別情報に基いて検針端末システムで使用される子機を親機に登録する方法において、子機において、親機に対する登録開始の操作を行う工程と、該登録開始操作に伴い自身の識別情報を読み出す工程と、読み出した識別情報を該識別情報の登録要求情報と共に親機に送信する工程と、親機から親機の識別情報を受信する工程と、受信した親機の識別情報を登録する工程と、親機から登録要求コマンドを送信されたとき、親機の識別情報が既に登録されているか否かを検知する工程と、この検知により登録処理の実行又は中止を判断する工程と、
識別情報登録済みの確認情報を送信する工程と、親機において、登録待機モードに移行する工程と、子機に対して登録要求コマンドを送信する工程と、子機に対する登録要求コマンドに呼応して又は子機自らからの要求により登録要求コマンドを受信する工程子機からの登録要求コマンドを受信する工程と、受信した登録要求コマンドに基き当該子機から送信された子機の識別情報を登録する工程と、親機自身の識別情報を読み出す工程と、読み出した識別情報を子機に送信する工程と、識別情報登録済みの確認情報を送信する工程と、を有することを特徴とする検針端末システムで使用される子機を親機に登録する方法である。
【発明の効果】
【００１０】
本発明によれば、登録する識別情報として予め付与された子機又は親機を同定可能な識別情報を使用し、通信によるやり取りで子機を親機に登録するので、登録のための部品点数を減らすことができるとともに登録を正確に且つ早く行うことができる。
【発明を実施するための最良の形態】
【００１１】
はじめに、本発明の実施形態に係る検針端末システムの構成について説明する。
図１は、本発明の実施形態に係る通信端末装置（親機及び子機）により構成される検針端末システムの構成図であり、図中、１０は子機、２０は親機である。
子機１０は、親機２０と無線で通信を行う通信インターフェース（I/F）部１１、プロセッサにより構成される制御部１２を有する。制御部１２はプログラムにより実現され、後述する親機のＭＡＣアドレスを登録するアドレス登録手段12aを有する。更に子機１０は、登録した親機のＭＡＣアドレス及び自身のＭＡＣアドレス１４を記憶しておくアドレス記憶部１３を有している。
【００１２】
ここでＭＡＣ（Media Access Control）アドレスとは、子機及び親機に付与される一意に識別可能な識別情報であり、それらの製造時に付与されるバイナリ情報である。
【００１３】
親機２０は、子機１０と無線で通信を行う通信インターフェース（I/F）部２１、プロセッサにより構成される制御部２２を有する。制御部２２はプログラムにより実現され、子機のＭＡＣアドレスを登録するアドレス登録手段22aを有する。更に親機２０は、登録した親機のＭＡＣアドレスをアドレス管理テーブル23aとして記憶し、また自身のＭＡＣアドレス２６を記憶するアドレス記憶部２３、ＬＥＤからなり親機の動作状態を表示する回路部である表示部２４、キースイッチからなり各種操作入力を受付け、制御部２２へ出力する回路部である操作入力部２５を有している。なお、図１には記載が省略されているが、親機２０は、設定用のパソコンを接続するための端子を備え、各種情報の入力ができるようになっている。
【００１４】
次に、子機及び親機間で行うＩＤコード（ＭＡＣアドレス）の登録方法について説明する。
（実施形態１）本実施形態では、子機側からの登録開始操作により登録処理を行う。
図２は、本実施形態に係るＭＡＣアドレスの登録シーケンスを示す図である。図２において、まずユーザーは親機でパソコン接続端子にパソコンを接続し（Ｓ１１）、操作入力部２５から登録モード設定の入力を行う（Ｓ１２）。この入力をうけて制御部２２は、表示部２４にＭＡＣアドレスの受付中、つまり子機からの送信信号受信待機中であることの表示を行う。
【００１５】
一方、子機１０側では、備えられた登録ボタン（不図示）を押下することにより、子機側から登録処理を開始し（Ｓ１３）、アドレス記憶部１３に記憶している子機自身のＭＡＣアドレス１４を読み出し（Ｓ１４）、読み出したＭＡＣアドレス１４を登録要求コマンドに付加して通信I/F部１１により親機２０に送信する（Ｓ１５）。
【００１６】
親機２０側では、登録要求コマンドと子機ＭＡＣアドレス１４を通信I/F部２１を介して受取り、子機ＭＡＣアドレス１４を制御部２２のアドレス登録手段２２ａにより、アドレス記憶部２３のアドレステーブル２３ａに登録する（Ｓ１６）。この後、親機２０は、通信Ｉ／Ｆ部２１により登録要求受信の返信を、アドレス記憶部２３に記憶している親機自身のＭＡＣアドレス２６を付して子機１０に返信する（Ｓ１７）。
【００１７】
子機１０では、通信Ｉ／Ｆ部１１を介してＭＡＣアドレス２６を受信し、制御部１２のアドレス登録手段12aは、これをアドレス記憶部１３に登録する（Ｓ１８）。登録された親機２０のＭＡＣアドレス２６は以後のデータ送信の際にデータに自身のＭＡＣアドレス14と共に付与されて送信されることになる。
【００１８】
その後、子機１０は親機のＭＡＣアドレス登録終了を親機２０に送信する（Ｓ１９）。子機から親機のＭＡＣアドレス登録終了を受信した親機２０は、接続済みのパソコンから子機ＩＤや種別等の情報を入力し（Ｓ２０）、子機１０に対し全ての登録作業終了を送信し（Ｓ１９）、この作業を終了する（Ｓ２０，２２）。子機１０は親機２０から登録作業終了通知を受けて自らの登録作業を終了する（Ｓ２３）。
【００１９】
上述のＭＡＣアドレス登録の作業は、親機２０と親機２０に登録される複数の全ての子機１０との間で行われる。
【００２０】
図３は、親機２０のアドレス管理テーブルに登録されたＭＡＣアドレスの一覧を示す図である。図３において、登録された子機の順番に、ＭＡＣアドレス（００：１１：２２：ＡＡ：ＢＢ：ＣＣ）、パソコンから入力された子機ＩＤ（０１０１）及び子機種別（アナログ）及び設置場所（牛小屋）等がテーブルに書込まれる。
【００２１】
このようにして登録されたＭＡＣアドレスは、子機及び親機間で通信を行う場合に、送信元及び送信先アドレスとして使用する。つまり子機１０及び親機２０は、予め付与された自装置及び相手装置のＭＡＣアドレスを送信データに付与して送信する。このデータを受信したときは、制御部が送信先アドレスに自装置のＭＡＣアドレスが記載されている場合のみ、そのデータが自装置宛のものとして判断しそのデータを取得する。
【００２２】
（実施形態２）本実施形態では、親機側からの登録要求操作により登録処理を行う。
図４は、本実施形態に係る子機及び親機間のＭＡＣアドレスの登録シーケンスを示す図である。図４において、まずユーザーは親機のパソコン接続端子にパソコンを接続し（Ｓ２１）、操作入力部２５から登録モード設定の入力を行う（Ｓ２２）。この入力をうけて制御部２２は、表示部２４にＭＡＣアドレスの受付中、つまり子機からの送信信号受信待機中であることの表示を行うと共に通信I/F部２１により子機１０に対して登録受付開始を送信する（Ｓ２３）。
【００２３】
ここで、子機１０は登録受付開始情報を通信I/F部１１により受信すると、制御部１２がアドレス記憶部１３に親機のＭＡＣアドレス２６が既に登録されているか否かをチェックする。親機２０のＭＡＣアドレス２６が登録されている場合は、２重登録を避けるために登録の処理を中止し、この処理を終了する。
【００２４】
親機２０のＭＡＣアドレス２６が登録されていないと判断される場合は、アドレス記憶部１３から子機自身のＭＡＣアドレス１４を読み出す（Ｓ２４）。そして登録要求コマンドに読み出したＭＡＣアドレス１４を付加して親機２０に送信する（Ｓ２５）。
【００２５】
親機２０では、子機１０からの登録要求コマンドを通信Ｉ／Ｆ部２１を介して受取り、制御部２２のアドレス登録手段22aでそのＭＡＣアドレス１４を記憶部２３のアドレス管理テーブル23aに書込む（Ｓ２６）。この後、親機２０は、通信Ｉ／Ｆ部２１により登録要求受信の返信を自身のＭＡＣアドレス２６を付して子機１０に送信する（Ｓ２７）。
【００２６】
子機１０では、通信Ｉ／Ｆ部１１を介して親機２０のＭＡＣアドレスを受信し、制御部１２のアドレス登録手段12aでアドレス記憶部１３に記憶する（Ｓ２８）。
【００２７】
その後、子機１０は親機のＭＡＣアドレス登録終了を親機２０に送信する（Ｓ２９）。子機から親機のＭＡＣアドレス登録終了を受信した親機２０は、接続済みのパソコンから子機ＩＤや種別等の情報を入力し（Ｓ３０）、子機１０に対し全ての登録作業終了を送信し、この作業を終了する（Ｓ３１，３２）。子機１０は親機２０から登録作業終了通知を受けて自らの登録作業を終了する（Ｓ３３）。
【産業上の利用可能性】
【００２８】
以上のように、本発明にかかるＭＡＣアドレスの登録方法は、小型軽量化する通信端末装置の組合せに有用であり、特に多数の子機のＭＡＣアドレスを親機に登録するのに適している。
【図面の簡単な説明】
【００２９】
【図１】本発明の実施形態に係る通信端末装置（親機及び子機）により構成される検針端末システムの構成図である。
【図２】本発明の一実施形態に係るＭＡＣアドレスの登録シーケンスを示す図である。
【図３】本発明の他の実施形態に係るＭＡＣアドレスの登録シーケンスを示す図である。
【図４】親機に登録されたＭＡＣアドレスの一覧を示す図である。
【図５】従来の子機と親機による検針端末システムの構成図である。
【図６】従来のディップスイッチの構成を示す図である。
【図７】従来のＩＤコードを登録するシーケンスを示す図である。
【符号の説明】
【００３０】
１０・・子機、１１・・通信I/F部、１２・・制御部、１３・・アドレス記憶部、１４・・ＭＣＡアドレス、２０・・親機、２１・・通信I/F部、２２・・制御部、２３・・アドレス記憶部、２４・・表示部、２５・・操作入力部、２６・・ＭＡＣアドレス。
【図１】
2005223654.tif 000003
【図２】
2005223654.tif 000004
【図３】
2005223654.tif 000005
【図４】
2005223654.tif 000006
【図５】
2005223654.tif 000007
【図６】
2005223654.tif 000008
【図７】
2005223654.tif 000009